(57)【特許請求の範囲】
【請求項１】
利用者の操作に応じて複数の単位情報を表示領域に表示する表示手段と、
前記複数の単位情報の表示位置を検出する位置検出手段と、
前記複数の単位情報の表示位置が変更されたとき、前記複数の単位情報の表示位置の関係に基づいて前記複数の単位情報の一部の単位情報をグループとして扱い、当該グループの単位情報のそれぞれから抽出された文字要素に類似又は共通の文字要素をグループ名として付与するグループ生成手段と、
文字要素を含む単位情報から抽出された前記文字要素から、前記単位情報が属するグループに付与されたグループ名に関連する文字要素を除外して要約情報を生成する要約手段とを有し、
前記表示手段は、前記複数の単位情報に代えて前記要約情報を表示する情報処理装置。
【請求項２】
前記表示手段は、前記要約情報とともに関連する前記グループ名を表示する請求項１に記載の情報処理装置。
【請求項３】
前記表示手段は、前記要約情報の表示サイズが前記要約情報の生成元である前記単位情報の表示サイズより小さいとき、前記要約情報の表示サイズを拡大して表示する請求項１又は２に記載の情報処理装置。
【請求項４】
コンピュータを、
利用者の操作に応じて複数の単位情報を表示領域に表示する表示手段と、
前記複数の単位情報の表示位置を検出する位置検出手段と、
前記複数の単位情報の表示位置が変更されたとき、前記複数の単位情報の表示位置の関係に基づいて前記複数の単位情報の一部の単位情報をグループとして扱い、当該グループの単位情報のそれぞれから抽出された文字要素に類似又は共通の文字要素をグループ名として付与するグループ生成手段と、
文字要素を含む単位情報から抽出された前記文字要素から、前記単位情報が属するグループに付与されたグループ名に関連する文字要素を除外して要約情報を生成する要約手段として機能させるものであって、
前記表示手段は、前記複数の単位情報に代えて前記要約情報を表示する要約プログラム。
【発明の詳細な説明】
【技術分野】
【０００１】
本発明は、情報処理装置および要約プログラムに関する。
【背景技術】
【０００２】
テキスト情報が関連づけられた画像情報について、類似するテキスト情報に関連づけられた画像情報同士を近くに配置し、それらに関連づけられた代表的な単語とともに表示する情報処理装置が知られている。
【０００３】
例えば、特許文献１の情報処理装置は、テキスト情報が関連付けられた画像情報について、テキスト情報を構成する単語の頻度情報を抽出する単語頻度抽出機能と、単語の頻度情報からテキスト特徴量を抽出するテキスト特徴量抽出機能と、テキスト抽出量に基づいて画像情報を仮想空間に分類配置する分類配置機能と、分類された画像情報に関連づけられたテキスト情報から代表的な単語を示すラベルを抽出し、分類された画像情報の近傍に配置するラベル配置機能と、分類された画像情報とラベルとを仮想空間内の視点位置に応じて表示する表示機能とを実現し、利用者が視点を移動して所望のラベル付近に配置された画像情報を閲覧することで、所望の画像情報を提示する。
【先行技術文献】
【特許文献】
【０００４】
【特許文献１】特開２００３−１６７９１４号公報
【発明の概要】
【発明が解決しようとする課題】
【０００５】
本発明の目的は、類似する情報同士を距離に応じて配置する表示において、情報それぞれの内容の差異を提示することができる情報処理装置及び要約プログラムを提供することにある。
【課題を解決するための手段】
【０００６】
［１］利用者の操作に応じて複数の単位情報を表示領域に表示する表示手段と、
前記複数の単位情報の表示位置を検出する位置検出手段と、
前記複数の単位情報の表示位置が変更されたとき、前記複数の単位情報の表示位置の関係に基づいて前記複数の単位情報の一部の単位情報をグループとして扱い、当該グループの単位情報のそれぞれから抽出された文字要素に類似又は共通の文字要素をグループ名として付与するグループ生成手段と、
文字要素を含む単位情報から抽出された前記文字要素から、前記単位情報が属するグループに付与されたグループ名に関連する文字要素を除外して要約情報を生成する要約手段とを有し、
前記表示手段は、前記複数の単位情報に代えて前記要約情報を表示する情報処理装置。
【０００８】
［２］前記表示手段は、前記要約情報とともに関連する前記グループ名を表示する前記［１］に記載の情報処理装置。
【０００９】
［３］前記表示手段は、前記要約情報の表示サイズが前記要約情報の生成元である前記単位情報の表示サイズより小さいとき、前記要約情報の表示サイズを拡大して表示する前記［１］又は［２］に記載の情報処理装置。
【００１０】
［４］コンピュータを、
利用者の操作に応じて複数の単位情報を表示領域に表示する表示手段と、
前記複数の単位情報の表示位置を検出する位置検出手段と、
前記複数の単位情報の表示位置が変更されたとき、前記複数の単位情報の表示位置の関係に基づいて前記複数の単位情報の一部の単位情報をグループとして扱い、当該グループの単位情報のそれぞれから抽出された文字要素に類似又は共通の文字要素をグループ名として付与するグループ生成手段と、
文字要素を含む単位情報から抽出された前記文字要素から、前記単位情報が属するグループに付与されたグループ名に関連する文字要素を除外して要約情報を生成する要約手段として機能させるものであって、
前記表示手段は、前記複数の単位情報に代えて前記要約情報を表示する要約プログラム。
【発明の効果】
【００１１】
請求項１又は４に係る発明によれば、類似する情報同士を距離に応じて配置する表示において、情報それぞれの内容の差異を提示することができる。
【００１３】
請求項２に係る発明によれば、類似する情報同士の類似する内容を表示することができる。
【００１４】
請求項３に係る発明によれば、要約による内容の差異を提示することができる。
【図面の簡単な説明】
【００１５】
【図１】本発明の第１の実施の形態に係る情報処理装置の構成例を示す概略図である。
【図２】（ａ）〜（ｅ）は、本発明の第１の実施の形態に係る情報処理装置が記憶する情報の構成例を示す概略図である。
【図３】（ａ）〜（ｃ）は、本発明の第１の実施の形態に係る情報処理装置の表示例を示す概略図である。
【図４】本発明の第１の実施の形態に係る情報処理装置の動作例を示すフローチャートである。
【図５】本発明の第２の実施の形態に係るオブジェクト情報の構成を示す概略図である。
【図６】（ａ）〜（ｃ）は、本発明の第２の実施の形態に係る情報処理装置の表示例を示す概略図である。
【図７】本発明の第２の実施の形態に係る情報処理装置の動作例を示すフローチャートである。
【発明を実施するための形態】
【００１６】
［第１の実施の形態］
（情報処理装置の構成）
図１は、本発明の第１の実施の形態に係る情報処理装置の構成例を示す概略図である。
【００１７】
情報処理装置１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｃ  Ｄｒｉｖｅ）やフラッシュメモリ等の記憶装置から構成され情報を記憶する記憶部１１と、ＬＣＤ（Ｌｉｑｕｉｄ  Ｃｒｙｓｔａｌ  Ｄｉｓｐｌａｙ）等から構成され画像や文字等を表示する表示部１２と、マウス、キーボード及び表示部１２の表示画面上に設けられるタッチパネル等から構成され操作信号を生成する操作部１３とを有する。
【００１８】
制御部１０は、後述する要約プログラム１１Ａを実行することで、単語抽出手段１０Ａと、位置検出手段１０Ｂと、グループ生成手段１０Ｃと、要約手段１０Ｄと、表示手段１０Ｅとを有する。
【００１９】
単語抽出手段１０Ａは、後述する単位情報１１Ｂに含まれる単語を、例えば、主語、述語、目的語等に形態素解析して抽出する。位置検出手段１０Ｂは、例えば、カード状に表示される単位情報１１Ｂが仮想平面上に配置される位置を検出する。グループ生成手段１０Ｃは、単位情報１１Ｂが配置される位置及び単位情報１１Ｂに含まれる単語に応じて複数の単位情報１１Ｂ同士をグループとして扱いグループ名を生成する。要約手段１０Ｄは、単位情報１１Ｂが属するグループのグループ名に基づいて単位情報１１Ｂを要約して後述する要約情報１１Ｅを生成する。表示手段１０Ｅは、単位情報１１Ｂ又は要約情報１１Ｅを表示部１２に表示する。
【００２０】
記憶部１１は、制御部１０を上述した各手段として動作させる要約プログラム１１Ａと、例えば、単数又は複数の単語からなるテキストの情報である単位情報１１Ｂと、単位情報１１Ｂの位置、グループ、オブジェクト等の情報である付随情報１１Ｃと、単位情報１１Ｂから抽出される単語の情報である抽出単語情報１１Ｄと、単位情報１１Ｂを要約することで得られる要約情報１１Ｅとを有する。
【００２１】
付随情報１１Ｃは、単位情報１１Ｂを表示部１２に表示するときに配置される位置を示す位置情報１１０と、単位情報１１Ｂが属するグループ及びグループ名を示すグループ情報１１１とを有する。オブジェクト情報１１２については、第２の実施の形態において詳細に説明する。
【００２２】
図２（ａ）〜（ｅ）は、本発明の第１の実施の形態に係る情報処理装置が記憶する情報の構成例を示す概略図である。
【００２３】
単位情報１１Ｂは、図２（ａ）に示すように、複数の単位情報のそれぞれに一意的に定められた単位情報ＩＤと、それぞれのテキストの情報である内容とを有する。
【００２４】
位置情報１１０は、図２（ｂ）に示すように、単位情報ＩＤと、単位情報のそれぞれが配置される位置を示す位置とを有する。
【００２５】
グループ情報１１１は、図２（ｃ）に示すように、複数のグループのそれぞれに一意的に定められたグループＩＤと、それぞれのグループ名と、それぞれのグループに属する単位情報を示す単位情報ＩＤとを有する。
【００２６】
抽出単語情報１１Ｄは、図２（ｄ）に示すように、複数のグループのそれぞれに一意的に定められたグループＩＤと、単位情報１１Ｂから抽出された文字要素としての抽出単語とを有する。
【００２７】
要約情報１１Ｅは、図２（ｅ）に示すように、単位情報ＩＤと、単位情報１１Ｂをグループ情報１１１に基づいて要約された要約内容とを有する。
【００２８】
図３（ａ）〜（ｃ）は、本発明の第１の実施の形態に係る情報処理装置の表示例を示す概略図である。
【００２９】
表示領域１２Ａは、図３（ａ）に示すように、表示部１２の表示画面に表示され、カード形態の画像上に内容であるテキストを表示した単位情報２０ａ〜２０ｃを図示する配置で表示する。配置される位置は利用者の操作によって定められるものであるが、予め定められた条件によって自動で定められたものであってもよい。
【００３０】
また、表示領域１２Ａは、図３（ｂ）に示すように、利用者によってグループ名２２０ａ及び２２０ｂが定められることによってグループ２２ａ及び２２ｂが作成される。また、後述するように、グループ名２２０ａ及び２２０ｂの決定と、グループ２２ａ及び２２ｂの作成は、グループ生成手段１０Ｃによって自動的に実行されてもよい。
【００３１】
また、表示領域１２Ａは、図３（ｃ）に示すように、グループ名２２０ａ及び２２０ｂに基づいて単位情報２０ａ〜２０ｃを要約した要約情報２１ａ〜２１ｃを表示する。
【００３２】
（動作）
以下に、本発明の実施の形態における情報処理装置の動作を各図を参照しつつ説明する。
【００３３】
まず、情報処理装置１を使用する利用者は、マウス等である操作部１３を操作することで、表示手段１０Ｅによって表示された表示領域１２Ａ上で、表示部１２に表示される図示しないカーソル等を移動させる。カーソルは、単位情報２０ａ〜２０ｃを選択可能で、選択された単位情報の位置を変更可能である。また、利用者は、カーソルによって複数の単位情報を選択し、共通するキーワード等でグループ名２２０ａ及び２２０ｂを定め、グループ２２ａ及び２２ｂを作成する。
【００３４】
また、グループ名２２０ａ及び２２０ｂの決定、グループ２２ａ及び２２ｂの作成はグループ生成手段１０Ｃが行っても良い。その場合、まず、単語抽出手段１０Ａは、表示領域１２Ａに表示された単位情報２０ａ〜２０ｃから単語の抽出を行う。次に、位置検出手段１０Ｂは、単位情報２０ａ〜２０ｃの表示領域１２Ａ上の位置を取得する。次に、グループ生成手段１０Ｃは、位置が近い単位情報のそれぞれが有する単語について、類似する単語をグループ名２２０ａ及び２２０ｂとし、グループ２２ａ及び２２ｂを作成する。
【００３５】
グループ２２ａ及び２２ｂの作成や単位情報２０ａ〜２０ｃの移動に応じて要約手段１０Ｄは、単位情報２０ａ〜２０ｃから要約情報２１ａ〜２１ｃを生成するが、その動作の詳細を以下に示す。
【００３６】
図４は、本発明の第１の実施の形態に係る情報処理装置の動作例を示すフローチャートである。
【００３７】
まず、位置検出手段１０Ｂが単位情報２０ａ〜２０ｃの移動を検出したとき、又は利用者によってグループが作成されたことを検出したとき（Ｓ１；Ｙｅｓ）、移動を検出した場合は、グループ生成手段１０Ｃによって上述した方法でグループを生成してグループ情報１１１を更新し、また、利用者によってグループが作成されたことを検出した場合は、作成されたグループでグループ情報１１１を更新する（Ｓ２）。
【００３８】
次に、要約手段１０Ｄは、各単位情報２０ａ〜２０ｃに含まれる単語を解析し（Ｓ３）、グループ情報１１１から対象の単位情報が属するグループ名を取得し（Ｓ４）、例えば、単位情報２１ａについては、グループ名２２０ａ「Ａ」とグループ名２２０ｂ「Ｏ」とに関連する単語を、単位情報２０ａに含まれる単語「Ａが」、「Ｏを」及び「ａする。」から除いて、「ａする。」の要約情報２１ａに変更して要約する（Ｓ５）。なお、ステップＳ３の単位情報の解析は、新規に作成された単位情報または内容が変更された単位情報のみに限定して選択的に行ってもよい。
【００３９】
また、単位情報２１ｂについては、グループ名２２０ｂ「Ｏ」に関連する単語を、単位情報２０ｂに含まれる単語「Ｂが」、「Ｏを」及び「ｂする。」から除いて、「Ｂがｂする。」の要約情報２１ｂに変更して要約する。また、単位情報２０ｃについては、グループ名２２０ａ「Ａ」に関連する単語を、単位情報２０ｃに含まれる単語「Ａが」、「Ｂに」及び「ｃする。」から除いて、「Ｂにｃする。」の要約情報２１ｃに変更して要約する。
【００４０】
以上の動作の後、表示手段１０Ｅは、要約情報２１ａ〜２１ｃを表示領域１２Ａに表示する。
【００４１】
［第２の実施の形態］
第２の実施の形態は、第１の実施の形態においてテキスト情報として扱われていた単位情報を、画像情報に置き換えたものである。
【００４２】
図５は、本発明の第２の実施の形態に係るオブジェクト情報の構成を示す概略図である。
【００４３】
オブジェクト情報１１２は、単位情報が画像情報であるとき、複数の単位情報のそれぞれに一意的に定められた単位情報ＩＤと、それぞれの画像情報内に含まれる特徴的な形状を有する部分画像、例えば、人や物等の形状を有する部分画像の情報であるオブジェクトとを有する。なお、オブジェクトは、単語抽出手段１０Ａによって予め画像とオブジェクト名とを関連付けた図示しないオブジェクト辞書による画像パターン認識等を用いて抽出される。
【００４４】
図６（ａ）〜（ｃ）は、本発明の第２の実施の形態に係る情報処理装置の表示例を示す概略図である。
【００４５】
表示領域１２Ａは、図６（ａ）に示すように、表示部１２の表示画面に表示され、画像情報である単位情報３０ａ〜３０ｃを図示する配置で表示する。
【００４６】
また、表示領域１２Ａは、図６（ｂ）に示すように、グループ名３２０ａ及び３２０ｂが利用者によって定められ、グループ３２ａ及び３２ｂが作成される。
【００４７】
また、表示領域１２Ａは、図６（ｃ）に示すように、グループ名３２０ａ及び３２０ｂに応じて単位情報３０ａ〜３０ｃを要約した要約情報３１ａ〜３１ｃを表示する。
【００４８】
（動作）
図７は、本発明の第２の実施の形態に係る情報処理装置の動作例を示すフローチャートである。
【００４９】
まず、位置検出手段１０Ｂが単位情報３０ａ〜３０ｃの移動を検出したとき、又は利用者によってグループが作成されたことを検出したとき（Ｓ１１；Ｙｅｓ）、移動を検出した場合は、グループ生成手段１０Ｃによってグループを生成してグループ情報１１１を更新し、また、利用者によってグループが作成されたことを検出した場合は、作成されたグループでグループ情報１１１を更新する（Ｓ１２）。
【００５０】
次に、要約手段１０Ｄは、各単位情報３０ａ〜３０ｃに含まれるオブジェクトを解析し（Ｓ１３）、グループ情報１１１から対象の単位情報が属するグループ名を取得し（Ｓ１４）、例えば、単位情報３１ａについては、グループ名３２０ａ「机」に関連するオブジェクトを、単位情報３０ａに含まれるオブジェクト「机」、「椅子」及び「人」から除いて、「椅子」及び「人」にあたる画像情報を含む要約情報３１ａに変更して要約する（Ｓ１５）。
【００５１】
また、単位情報３１ｂについては、グループ名３２０ａ「机」及びグループ名３２０ｂ「照明」に関連するオブジェクトを、単位情報３０ｂに含まれるオブジェクト「机」、「照明」及び「食器」から除いて、「食器」にあたる画像情報を含む要約情報３１ｂに変更して要約する。また、単位情報３０ｃについては、グループ名３２０ａ「照明」に関連するオブジェクトを、単位情報３０ｃに含まれるオブジェクト「人」及び「照明」から除いて、「人」にあたる画像情報を含む要約情報３１ｃに変更して要約する。
【００５２】
次に、表示手段１０Ｅは、要約情報３１ａ〜３１ｃの表示サイズのそれぞれが単位情報３０ａ〜３０ｃのそれぞれに対して小さくなっているとき、拡大して表示する（Ｓ１６）。
【００５３】
［他の実施の形態］
なお、本発明は、上記実施の形態に限定されず、本発明の趣旨を逸脱しない範囲で種々な変形が可能である。
【００５４】
例えば、単語抽出手段１０Ａは、全く同一の単語でなくとも、例えば、「技術」と「テクノロジー」のように意味的に近い単語を類似したものとして抽出してもよい。また、情報処理装置１の利用者、使用日時、使用場所を識別できるときは、「私」や「全員」、「社員」等の単語を利用者の人名と類似したものとして、「今日」、「これから」、「以前」等の単語を使用日時と類似したものとして、また「ここ」、「社外」等の単語を使用場所と類似したものとして抽出してもよい。また、例えば、「ＡがＢにｃする」と「ＢがＡにｃされる」のように能動態と受動態に関しては、主語と目的語とを入れ替えて類似したものとして抽出してもよい。
【００５５】
また、第２の実施の形態において、要約手段１０Ｄは、単位情報からグループ名に類似したオブジェクトを省いて、残ったオブジェクトに関する画像を要約情報としたが、単位情報からグループ名に類似したオブジェクトに関する画像を省いて要約情報を生成してもよい。
【００５６】
また、上記実施の形態で使用される単語抽出手段１０Ａと、位置検出手段１０Ｂと、グループ生成手段１０Ｃと、要約手段１０Ｄと、表示手段１０Ｅとは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００５７】
１…情報処理装置、１０…制御部、１０Ａ…単語抽出手段、１０Ｂ…位置検出手段、１０Ｃ…グループ生成手段、１０Ｄ…要約手段、１０Ｅ…表示手段、１１…記憶部、１１Ａ…要約プログラム、１１Ｂ…単位情報、１１Ｃ…付随情報、１１Ｄ…抽出単語情報、１１Ｅ…要約情報、１２…表示部、１２Ａ…表示領域、１３…操作部、２０ａ-２０ｃ…単位情報、２１ａ-２１ｃ…要約情報、２２ａ、２２ｂ…グループ、３０ａ-３０ｃ…単位情報、３１ａ-３１ｃ…要約情報、３２ａ、３２ｂ…グループ、１１０…位置情報、１１１…グループ情報、１１２…オブジェクト情報、２２０ａ、２２０ｂ…グループ名、３２０ａ、３２０ｂ…グループ名
【図１】
0005493498.tif 000002
【図２】
0005493498.tif 000003
【図３】
0005493498.tif 000004
【図４】
0005493498.tif 000005
【図５】
0005493498.tif 000006
【図６】
0005493498.tif 000007
【図７】
0005493498.tif 000008